(57)【要約】【課題】多様な太さや長さの歯ブラシや電動歯ブラシ用替えブラシに対応できる収納スペースを有し、水切れが良く内部に水分がたまらない簡単な構造のミラーキャビネット等の棚下等に着脱可能に装着できる歯ブラシ収納具を実現する。【解決手段】歯ブラシ収納具１は、歯ブラシ１４のブラシ１６の近傍の柄部１５を支承する第１の支承片１８と、歯ブラシ１４の柄部１５の下端側の部分１９を支承する第２支承片２７が、所定の間隔を空けて形成され、第１支承片１８と第２支承片２７は、それぞれ波型の支承面２０、２９を備えており、第２の支承片２７と一体に電動歯ブラシ用替えブラシ２５を載置する載置用棚片２８を備え、ミラーキャビネット５の棚した傾斜面に着脱自在に取り付けられて使用される。【選択図】図３
2005143990.tif 000002
【特許請求の範囲】
【請求項１】
ミラーキャビネット等に垂直方向に対して斜めの状態で着脱自在に取り付けられる歯ブラシ収納具であって、歯ブラシの柄部のブラシ側の部分または下端側の部分を支承する第１支承部と、歯ブラシの柄部の下端側の部分またはブラシ側の部分を支承する第２支承部を、所定の間隔を空けて形成したことを特徴とする歯ブラシ収納具。
【請求項２】
請求項１記載の歯ブラシ収納具であって、前記第１支承部と前記第２支承部は波型の支承面を備えていることを特徴とする歯ブラシ収納具。
【請求項３】
請求項１または２記載の歯ブラシ収納具であって、前記第１支承部または第２支承部は電動歯ブラシ用替えブラシ等の小さな歯ブラシを載置できる載置面を備えていることを特徴とする歯ブラシ収納具。
【発明の詳細な説明】
【技術分野】
【０００１】
本発明は、歯ブラシ収納具に関し、特にミラーキャビネット等の棚下の傾斜面等に着脱自在に取り付けられる歯ブラシ収納具に関する。
【背景技術】
【０００２】
従来、洗面室等で使用される歯ブラシを収納する歯ブラシ収納具として、図５に示すように、歯ブラシを差し込んで立てる歯ブラシ立てが知られている。
【０００３】
ミラーキャビネットにおけるミラーの側方の収納棚に、歯刷子立用扉が開閉自在に設けられた構成は公知である（特許文献１参照。）。
【０００４】
さらに、収納ケースを枢着し、この収納ケースを前方に回動して開く動作に連動して、収納されている歯ぶらしを押し上げることのできる歯ぶらしスタンドは公知である（特許文献２参照。）。
【特許文献１】実開平２−９４６８５号公報
【特許文献２】特開平６−１７８７３５号公報
【発明の開示】
【発明が解決しようとする課題】
【０００５】
図５に示す従来の歯ブラシ立て３６は、その内部に湿気がこもりやすく、汚れがたまりやすいものであった。また、柄の太い歯ブラシや電動歯ブラシ用替えブラシなど、多様な大きさの歯ブラシを収納できないという問題があった。
【０００６】
さらに、特許文献１記載の歯刷子立用扉を有する収納棚、及び特許文献２記載の歯ぶらしスタンドはミラーキャビネット等に装着して簡単に使用可能な構造としては、構造が複雑である。
【０００７】
本発明は、上記従来の問題を解決する歯ブラシ収納具を実現することを目的とするものであり、その具体的な課題は次の通りである。
（１）簡単な構造で、しかも簡単に使用できる構成とする。
（２）内部に水分がたまらず、水切れが良く、衛生的なものとする。
（３）多様な太さや長さの歯ブラシや電動歯ブラシ用替えブラシに対応できる収納スペースを提供することができる。
（４）隣接して収納する歯ブラシ同士が互いに接触することがなく、一本づつ確実に保持する。
（５）ミラーキャビネット等の棚下のデッドスペースを有効活用できる構成とする。
（６）ミラーキャビネット等の棚下等に着脱可能な構造として、取り外して簡単に洗うことができ清掃性にすぐれたものとする。
【課題を解決するための手段】
【０００８】
本発明は上記課題を解決するために、ミラーキャビネット等に垂直方向に対して斜めの状態で着脱自在に取り付けられる歯ブラシ収納具であって、歯ブラシの柄部のブラシ側の部分または下端側の部分を支承する第１支承部と、歯ブラシの柄部の下端側の部分またはブラシ側の部分を支承する第２支承部を、所定の間隔を空けて形成したことを特徴とする歯ブラシ収納具を提供する。
【０００９】
前記第１支承部と前記第２支承部は、波型の支承面を備えている構成であることが好ましい。
【００１０】
前記第１支承部または第２支承部は、電動歯ブラシ用替えブラシ等の小さな歯ブラシを載置できる載置面を備えている構成であることが好ましい。
【発明の効果】
【００１１】
本発明に係る歯ブラシ収納具によれば、次のような効果が生じる。
（１）歯ブラシ等を支承する部分は、水平面をもたない構造であり、すべてが傾斜面なので、水切れが良く、乾燥が速いので衛生的である。
（２）歯ブラシは垂直方向ではなく斜め方向に出し入れする構造であるので、歯ブラシの出し入れがしやすい。
（３）歯ブラシの支承面を波型にしたことで、複数の歯ブラシが接触することなく並べて収納することができる。
（４）ミラーキャビネット等の棚下を利用できる構造であるので、ミラーキャビネット等の棚下のデッドスペースを有効活用でき、収納効率を高めることができる。
【発明を実施するための最良の形態】
【００１２】
本発明に係る歯ブラシ収納具を実施するための最良の形態を実施例に基づき図面１〜４を参照して、以下説明する。
【実施例】
【００１３】
図１（ａ）は、本発明に係る歯ブラシ収納具の全体構造を示す図である。この歯ブラシ収納具１は、左右側壁部２、第１支承部３及び第２支承部４が一体となって、透明または不透明の樹脂材料等で形成されている。歯ブラシ収納具１は、例えば、図１（ｂ）に示すようなミラーキャビネット５の棚下の傾斜面７に取り付けて使用される。本実施例では上記のように歯ブラシ収納具全体が継ぎ目なく一体で成形されているので、汚れがたまりにくく、取り外したときに清掃も容易である。
【００１４】
左右側壁部２は板状に形成されており、ミラーキャビネット５等の棚６の下（「棚下」とも言う。）の傾斜面７（詳細には棚下の傾斜面とさらにその下方に連続的に形成された湾曲面７’とから成る面である。）に沿うように、背面側８（使用者が使用する際に手前側と反対側）に凸状湾曲部９を有している。凸状湾曲部９に沿って左右側部２の外面に突起２’が形成されている。
【００１５】
歯ブラシ収納具１をミラーキャビネット５の棚下の傾斜面７に取り付けるために、図１（ｂ）に示すように、傾斜面７に左右一対のコの字型受け具１０が固定されている。コの字型受け具１０には、例えば、図１（ｃ）、（ｄ）に示すように、一対の係止用突起１０’が一体的に形成されて成る。この係止用突起１０’を、傾斜面７に予め形成された係止用孔（図示せず）内に係入させて取り付けることができる。
【００１６】
歯ブラシ収納具１は、その左右側部２に突起２’をコの字型受け具１０の溝１０”内に挿入し傾斜面７に、着脱可能に取り付けることができる。これにより、歯ブラシ収納具１は、垂直方向に対して斜めの状態で取り付けることができる。なお、図１（ｂ）に示すミラーキャビネット５おいて、１１はミラー、１２は棚板上に取り付けられた囲い枠、１３は洗面ボールをそれぞれ示している。
【００１７】
第１支承部３と第２支承部４は、上下２段となるように、互いに上下方向に所定の間隔を空けて設けられている。即ち、歯ブラシ収納具１を、図２（ａ）、（ｂ）に示すように、ミラーキャビネット５の棚下の傾斜面７に添うように取り付けると、第１支承部３が第２支承部４より上方かつ前方（使用者にとって手前側）になるように配置されている。
【００１８】
第１支承部３は、図３（ａ）に示すように歯ブラシ１４を保持する場合は、歯ブラシ１４の柄部１５のブラシ１６の近傍の部分（本明細書では「柄部のブラシ側の部分」とも言う。）１７を支承し、波板状の第１の支承片１８から成る。
【００１９】
第１の支承片１８は、図３（ｂ）に示すようにブラシ１６を下に向けて歯ブラシ１４を保持する場合は、歯ブラシ１４の柄部１５の下端側の部分１９を支承する。この第１の支承片１８は、波型の第１の支承面２０を有し、この波型の第１の支承面２０は、凹状保持面２１を複数、歯ブラシ収納具１の横幅方向に並設している。
【００２０】
複数の凹状保持面２１をさらに具体的に説明すると、図１（ａ）、図４に示すように、歯磨きチューブ２２を保持する凹状保持面２３、歯ブラシ１４を保持する凹状保持面２４、電動歯ブラシ用替えブラシ２５を保持する凹状保持面２６等があり、本実施例では、これらを総称して凹状保持面２１と言う。
【００２１】
凹状保持面２１は、それぞれ凹状であり隣接する凹状保持面２１とも仕切られているから、隣接して保持される他の歯ブラシ１４や電動歯ブラシ用替えブラシ２５は横幅方向にずれたり、ひどく傾いたりしないので、互いに接触しないように保持できる。
【００２２】
複数の凹状保持面２１の横幅（歯ブラシ収納具の左右方向についての凹状保持面２１の横幅）は、隣接して保持される他の歯ブラシ１４や電動歯ブラシ用替えブラシ２５と接触しないように離れて保持できる寸法とすることが必要である。しかし、複数の凹状保持面２１の横幅は、必ずしも同じとしなくてもよい。即ち、波型の第１の支承面２０の波のピッチは一定でなくてもよい。
【００２３】
例えば、歯磨きチューブ２２を保持する凹状保持面２３の横幅は、歯ブラシを保持する凹状保持面２４や電動歯ブラシ用替えブラシ２５を保持する凹状保持面２６の横幅より大きくする。又、この凹状保持面２１の横幅の寸法を適宜設計することにより、化粧品等のボトル類の収納にも適用可能である。
【００２４】
第２支承部４は、波板状の第２の支承片２７と載置用棚片２８とから成り、断面がほぼＬ形の構造をしている。第２の支承片２７は、図３（ａ）に示すように歯ブラシ１４を保持する場合は、歯ブラシ１４の柄部１５の下端側の部分１９を支承する。第２の支承片２７は、図３（ｂ）に示すように歯ブラシ１４を保持する場合は、歯ブラシ１４の柄部１５のブラシ側の部分１７を支承する。
【００２５】
歯ブラシ収納具１をミラーキャビネット５の棚下部分の傾斜面７に取り付けた状態において、第２の支承片２７の位置は、図２（ｂ）に示すように、第１の支承片１８に対して下方に位置し、かつ第２の支承片２７の水平面に対する傾斜角度βは第１の支承片１８の水平面に対する傾斜角度αより小さくなるような構造に形成されている。
【００２６】
第２の支承片２７の構造は、第１の支承片１８とほぼ同様の構成であり、波型の第２の支承面２９を有し、この波型の第２の支承面２９は、凹状保持面３０を複数、横幅方向に有する。複数の凹状保持面３０は、図１（ａ）に示すように、歯磨きチューブ２２を保持する凹状保持面３１、歯ブラシを保持する凹状保持面３２等がある。複数の凹状保持面３０は、隣接する凹状保持面３０とも仕切られているから、隣接して保持される歯ブラシ１４のブラシ１６が互いに接触しないように保持できる。
【００２７】
第１の支承片１８と同様に、複数の凹状保持面３０のそれぞれの横幅は、隣接する歯ブラシ１４のブラシ１６と接触しないように離れて保持できる寸法とすることが必要であるが、歯磨きチューブ２２を保持する凹状保持面３１の横幅は、歯ブラシ１４を保持する凹状保持面３２の横幅より大きくする。
【００２８】
載置用棚片２８は第２の支承片２７の前方（手前側）に張り出すように形成され、電動歯ブラシ用替えブラシ２５を載置できる載置面３３を備えている。この載置用棚片２８の向きは水平面に対して前方に傾斜するように形成する。
【００２９】
好ましい実施態様としては、第１の支承片１８に対して載置用棚片２８の向きをほぼ９０度となるように配置すると、図３（ｃ）に示すように、電動歯ブラシ用替えブラシ２５の柄部３５を第１の支承片１８で支承し、この柄部３５の下端を載置面３３に載置するような構成とすることができる。
【００３０】
（作用）
以上の構成から成る本発明に係る歯ブラシ収納具１の作用を、その使用方法等によって説明する。図１（ｂ）に示すようなミラーキャビネット５の棚６の棚下部分の傾斜面７に予め形成された係止用孔（図示せず）内に、係止用突起１０’を係入し、コの字型の受け具１０を予め固定しておく。
【００３１】
歯ブラシ収納具１を、図２（ａ）、（ｂ）に示すように、その左右側部２の背面側８の凸状湾曲部９がミラーキャビネット５の棚下部分の傾斜面７に沿うように装入し、左右側部２の突起２’をコの字型の受け具１０の溝１０”内に挿入して壁面７に着脱自在な状態で固定する。このように、本発明の歯ブラシ収納具１は、ミラーキャビネット５の棚下部分のスペースを有効利用できるとともに、取り付け取り外しが自在である。
【００３２】
図３（ａ）は、歯ブラシ１４のブラシ１６を上方に向けて通常の状態で歯ブラシ収納具１に保持した状態を示している。この図３（ａ）の状態では、歯ブラシ１４の柄部１５の下端を、ミラーキャビネット５の棚下部分の湾曲面７’に当接するように差込み、歯ブラシ１４の柄部１５のブラシ側の部分１７を、第１の支承片１８の凹状保持面２４の上縁２４’で支承し、歯ブラシ１４の柄部１５の下端側の部分１９を、第２の支承片２７の凹状保持面３２で支承し保持することができる。
【００３３】
歯ブラシ１４は、歯ブラシ１４の柄部１５のブラシ側の部分１７と下端側の部分１９がそれぞれ第１の支承片１８の凹状保持面２４及び第２の支承片２７の凹状保持面３２で支承されるから、歯ブラシ収納具１内において横幅方向にずれたり傾斜したりすることがないので、隣接する他の歯ブラシに接触することが防止でき、衛生的である。
【００３４】
図３（ｂ）は、歯ブラシ１４のブラシ１６を下方に向けて歯ブラシ収納具１に保持した状態を示している。この図３（ｂ）の状態では、歯ブラシ１４の柄部１５の上端（ブラシ端）をミラーキャビネット５の棚下部分の湾曲面７’に当接するように差込み、歯ブラシ１４の柄部１５の下端側の部分１９を第１の支承片１８の凹状保持面２４の上縁２４’に支承させ、歯ブラシ１４の柄部１５のブラシ側の部分１７を、第２の支承片２７の凹状保持面３２に支承させて保持している状態である。
【００３５】
このように歯ブラシ１４を保持すると、歯ブラシ１４のブラシ１６は、ミラーキャビネット５の棚下において、第２支承片２７とミラーキャビネット５の棚下部分の湾曲面７’との間の隙間３４（図２（ｂ）参照。）に位置して収納されるから、ブラシ１６には塵等が付着することが少なくなり衛生的である。
【００３６】
図３（ｃ）は、電動歯ブラシ用替えブラシ２５を上方に向けて歯ブラシ収納具１に保持した状態を示している。この図３（ｃ）の状態では、替えブラシ２５の柄部３５を第１の支承片１８の凹状保持面２６に支承させ、柄部３５の下端を載置用棚片２８の載置面３３に載置して保持することができる。
【００３７】
図３（ｄ）は、電動歯ブラシ用替えブラシ２５のブラシを下方に向けて歯ブラシ収納具１に保持した状態を示している。この図３（ｄ）の状態では電動歯ブラシ用替えブラシ２５の柄部３５を第１の支承片１８の凹状保持面２６に支承させ、柄部３５のブラシ側の端部を載置用棚片２８の載置面３３に載置して保持している。この保持状態では、図１（ｂ）の場合と同様に、替えブラシ２５のブラシに塵等が付着しにくく衛生的である。
【００３８】
なお、図３（ｃ）、（ｄ）は電動歯ブラシ用替えブラシ２５の収納について説明したが、子供用等の小さな歯ブラシ（図示せず。）の収納にも適している。このように、本発明の歯ブラシ収納具１によると、歯ブラシの大小に拘わらず多様な大きさの歯ブラシを収納することが可能である。
【００３９】
図４は、歯磨きチューブ２２も含め、複数本の歯ブラシ１４や電動歯ブラシ用替えブラシ２５を、歯ブラシ収納具１に並べて収納した状態を示す図である。複数本の歯ブラシ１４は、第１の支承片１８の凹状保持面２６及び第２の支承片２７の凹状保持面３２（図１（ａ）参照。）に支承され、隣接するものとは仕切られて保持されて、歯ブラシ１４は横幅方向に傾いたりずれたりすることがないので、互いに接触するようなことなく衛生的に保持される。
【００４０】
又、歯ブラシ収納具１をミラーキャビネット５の棚下の傾斜面７に取り付けると、第１の支承片１８、第２の支承片２７及び載置用棚片２８は、いずれも水平面に対して傾斜するように形成されているので、水滴等が付着しても下方に流動して流れ去り、水切りがよい。
【００４１】
以上、本発明を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４２】
以上、本発明に係る歯ブラシ収納具１を説明したが、ミラーキャビネット５の棚下の部分だけでなく、その他の下部に傾斜面を有する棚やキャビネットに取り付けて利用することもできる。又、本発明に係る凹状保持面の横幅寸法（波形状のピッチ）を大きくすれば、化粧品などのボトル類を収納する収納具としても適用することもできる。
【図面の簡単な説明】
【００４３】
【図１】（ａ）は本発明に係る歯ブラシ収納具の実施例を説明する図であり、歯ブラシ収納具を背面側から見た斜視図であり、（ｂ）は歯ブラシ収納具を取り付けるのに適したミラーキャビネット、特にその棚下部分を示す図であり、（ｃ）はコの字型受け具を示す図であり、（ｄ）は（ｃ）のＡ−Ａ断面を示す図である。
【図２】（ａ）は、ミラーキャビネットの棚下部分に歯ブラシ収納具を取り付けた状態を示す図であり、（ｂ）はその断面を示す図である。
【図３】実施例の歯ブラシ収納具１の使用例を説明する図であり（ａ）、（ｂ）は通常の歯ブラシ１４を収納している状態を示し、（ｃ）、（ｄ）は、電動歯ブラシ用替えブラシを収納している状態を示す図である。
【図４】実施例の歯ブラシ収納具１の使用例を説明する図である。
【図５】従来例を説明する図である。
【符号の説明】
【００４４】
１  歯ブラシ収納具                                               
２  左右側部 
２’  左右側部の突起                                                  
３  第１支承部                                                   
４  第２支承部                                                   
５  ミラーキャビネット                                           
６  ミラーキャビネットの棚                                       
７  ミラーキャビネットの棚下の傾斜面
７’  ミラーキャビネットの棚下の傾斜面に連続する湾曲面                        
８  背面側                                                       
９  凸状湾曲部                                                   
１０  コの字型受け具
１０’  係合突起
１０”  コの字型受け具の溝                                               
１１  ミラー                                                     
１２  棚板上の囲い枠                                             
１３  洗面ボール                                                 
１４  歯ブラシ                                                   
１５  歯ブラシの柄部                                             
１６  ブラシ                                                     
１７  柄部のブラシ側の部分                                       
１８  第１の支承片                                               
１９  歯ブラシの柄部の下端側の部分                               
２０  第１の支承面                                               
２１  凹状保持面                                                 
２２  歯磨きチューブ                                             
２３  第１の支承片の歯磨きチューブを保持する凹状保持面           
２４  第１の支承片の歯ブラシを保持する凹状保持面                 
２４’  第１の支承片の歯ブラシを保持する凹状保持面の上縁         
２５  電動歯ブラシ用替えブラシ                                   
２６  第１の支承片の電動歯ブラシ用替えブラシを保持する凹状保持面 
２７  第２の支承片                                               
２８  載置用棚片                                                 
２９  第２の支承面                                               
３０  凹状保持面                                                 
３１  第２の支承片の歯磨きチューブを保持する凹状保持面           
３２  第２の支承片の歯ブラシを保持する凹状保持面                 
３３  載置用棚片の載置面                                         
３４  第２の支承片とミラーキャビネットの棚下の傾斜面との隙間     
３５  電動歯ブラシ用替えブラシの柄部
３６  従来の歯ブラシ立て                                         
【図１】
2005143990.tif 000003
【図２】
2005143990.tif 000004
【図３】
2005143990.tif 000005
【図４】
2005143990.tif 000006
【図５】
2005143990.tif 000007